(57)【特許請求の範囲】
【請求項１】
フランジ（１０２）を有する容器（１０１）の上にストッパ（１００）をロックするための装置（１）であって、
当該ロック装置（１）は、
少なくとも１つの内部溝（２２）が設けられており、前記ストッパ（１００）を覆うように形成されており、かつ前記ストッパ（１００）へのアクセスを不能にするように前記フランジを取り囲むキャップ（２）と、
前記キャップ（２）の中に収容することができ、かつカラー（４）を前記容器（１０１）にロック係合させるために前記フランジ（１０２）の下方に支持部を提供するように構成された下方内部ラグ（４２）、および前記カラー（４）を前記キャップ（２）にロック係合させるために前記溝（２２）に係合することができる外部ラグ（４４）が設けられたカラー（４）と、を有するロック装置であって、
前記キャップ（２）は少なくとも１つの破壊可能ゾーン（Ｚ２）を有し、該破壊可能ゾーンは、前記キャップ（２）の開放および当該キャップの前記フランジ（１０２）からの抜去を許容するために破壊可能であり、
前記カラー（４）は、前記ストッパ（１００）を取り囲むように構成された複数のほぞ（４１）が伸張するバンド（４０）から形成されており、
さらに少なくとも１つの変形可能かつ破壊可能なブリッジ部（４５）が設けられており、
前記ブリッジ部は、前記ほぞ（４１）の反対側に配置されており、一方では前記カラー（４）への前記フランジ（１０２）の力による挿入を許容するために半径方向に弾性的に変形可能であり、他方では前記フランジ（１０２）からの前記カラー（４）の抜去と、それに続く前記容器（１０１）からの前記ストッパ（１００）の抜去を許容するために破壊可能である、ことを特徴とするロック装置（１）。
【請求項２】
前記ほぞ（４１）の自由端部は互いに独立している、ことを特徴とする請求項１に記載のロック装置（１）。
【請求項３】
各ほぞ（４１）には少なくとも１つの内部ウェブ（４６）が設けられており、該内部ウェブの直径は前記バンド（４０）の直径よりも小さく、前記内部ウェブは前記フランジ（１０２）に対して支持部を提供するように構成されている、ことを特徴とする請求項１に記載のロック装置（１）。
【請求項４】
前記カラー（４）はさらに上方内部ラグ（４３）を有し、該上方内部ラグは、前記ストッパ（１００）に対して押圧するように構成されている、ことを特徴とする請求項１に記載のロック装置（１）。
【請求項５】
前記キャップ（２）は、スカート（２１）が軸方向に伸張するディスク部分（２０）を有し、
前記破壊可能ゾーン（Ｚ２）は、厚さが前記キャップ（２）の他の部分に対して低減された二重溝（２５，２６，２７）によって画定されており、かつ前記スカート（２１）の少なくとも一部分に亘って延在する少なくとも１つの第１の脚部（３５）と、カバーの少なくとも一部分に亘って延在する少なくとも１つの第２の脚部（３６）とを有し、
当該ロック装置（１）は引き剥がし可能な口金部材（３）を有し、該口金部材は、前記破壊可能ゾーン（Ｚ２）の少なくとも１つの接続ポイント（２８，３０）に、前記破壊可能ゾーン（Ｚ２）の破壊を開始するために前記口金部材（３）の抜去を許容するよう連結されている、ことを特徴とする請求項１に記載のロック装置（１）。
【請求項６】
前記キャップ（２）は、厚さが前記キャップ（２）の他の部分に対して低減されたヒンジゾーン（Ｚ１）を有し、
該ヒンジゾーンは、前記破壊可能ゾーン（Ｚ２）の前記第１の脚部（３５）に対して直径方向に対向して配置されており、かつ前記破壊可能ゾーン（Ｚ２）の破壊に続いて前記キャップ（２）の半径方向の開放を許容するように配置されている、ことを特徴とする請求項５に記載のロック装置（１）。
【請求項７】
前記キャップ（２）、カラー（４）および口金部材（３）の少なくとも１つは、成形プラスチック材料から作製されている、ことを特徴とする請求項１から６のいずれか一項に記載のロック装置（１）。
【請求項８】
ストッパ（１００）によって密閉されたフランジ（１０２）を有する容器（１０１）であって、前記ストッパ（１００）を前記フランジ（１０２）上にロックするための装置が設けられている容器において、当該容器は、請求項１から６のいずれか一項に記載のロック装置（１）を有し、これにより前記ストッパ（１００）は、前記カラー（４）と前記キャップ（２）との間で軸方向にロックされる、ことを特徴とする容器。
【発明の詳細な説明】
【技術分野】
【０００１】
本発明は、フランジを有する容器上にストッパをロックするための装置に関するものである。この装置は、キャップを有し、このキャップには少なくとも１つの内部溝が設けられており、当該キャップは、前記ストッパを覆い、前記フランジを包囲することのできる形状を示し、結果として前記ストッパへの接近を不可能にする。さらに前記装置は、前記キャップの中に収容するのに適したカラーを有し、このカラーには、前記フランジを支持するように構成されており、かつ前記カラーを前記容器に対して押圧する下方内部ラグと、前記カラーを前記キャップに確保するために前記溝に係合することのできる外部ラグとの両方が設けられている。
【０００２】
本発明はさらに、フランジを有する容器に関するものであり、この容器はストッパによって密閉されており、容器のフランジには、装置をロックするストッパが設けられている。
【背景技術】
【０００３】
このようなロック装置は、医学分野でストッパを確実にロックするために非常に有利に使用される。このストッパは、フランジ付き容器を密閉するために使用され、この容器は例えば液体、粉体またはフリーズドライ形態での活性媒質を格納している。この形式のロック装置は多くの場合、ストッパによって密閉されたフランジ付き容器に見ることができる。
【０００４】
特許文献１はこのようなロック装置を開示しており、ここでは口金部材によって閉鎖された軸方向開口部により横断されるキャップが、ストッパと容器フランジの両方を覆うように構成されている。このキャップは外部壁と内部壁を有し、それらの壁の間には円形の長手ギャップが配置されており、ここにおいて少なくとも１つの上方円形溝と１つの下方円形溝が設けられている。このロック装置はさらに、外部の柔軟なトング（tongues）が設けられた操作体を特徴とする。この操作体は、前記長手ギャップ内に収容されており、かつ当該操作体の前記柔軟なトングが上方円形溝に係合する上方位置と、当該操作体の前記柔軟なトングが下方円形溝に係合する下方位置との間で移動することができる。操作体をオリフィスが横断している。このオリフィスは、キャップの開口部に向くように配置されており、かつ操作体に溶接ポイントによって接続された脱着可能カバーによって閉鎖されている。加えて操作体は環状リップを有し、この環状リップはキャップの開口部に向くよう配向されている。最後にストッパは側方凹部を特徴とし、この側方凹部は、操作体が持ち上げられるときに、フリーズドライされた容器の内容物から水分子を排出することができる。フリーズドライ工程に続いて操作体は、容器が密にシールされた下方位置に戻される。下方位置ではカバーの環状リップがストッパを貫通しており、クリーンおよび無菌中央セクションを画定する。使用前にカバーは操作体から、溶接ポイントを破壊することにより解放される。したがってユーザは、開口部およびオリフィス、そしてストッパを通して針を挿入することができ、これにより吸引によって混合物を除去する前に、例えば容器に還元液を注入することができる。
【０００５】
特許文献２も、キャップを有するロック装置を開示する。このロック装置は、口金部材によって閉鎖された開口部により軸方向に横断されており、ストッパと容器のフランジの両方を覆うように構成されている。このロック装置はまた、キャップの内側に適合する口部（muzzle）を特徴とし、この口部は上方バンドと下方バンドとによって形成され、これらのバンドはフィンガにより相互接続され、側方間隙により分離されている。上方バンドの口は、キャップの開口と整列するように配置されている。したがって口金部材の除去に続いて、ユーザは、開口部およびオリフィス、そしてストッパを通して抽出針を挿入することができ、これにより混合物を吸引する前に容器に還元液を注入することができる。ロック装置が組み立てられた後、口金部材下方の確保タブが、口部の上方バンドとキャップとの間で圧潰される。口金部材を抜去した後は、確保タブをその元の位置に戻すことはできない。したがって口金部材の除去作業は不可逆的であり、これをその初期の位置に戻すことはできない。このことは、先行の使用を容易に検知できるようにする。
【先行技術文献】
【特許文献】
【０００６】
【特許文献１】ＦＲ２８９３９２２
【特許文献２】ＦＲ２９５０８６５
【発明の概要】
【発明が解決しようとする課題】
【０００７】
従来技術のロック装置では、容器のネックよりも小さいエリアを通してだけ容器の内容物にアクセスすることができる。事実上、内容物の何れの除去も、ストッパを通して導入された針による抜去に制限されている。このような装置では、ネックオリフィスにより提供される面積の全てを使用することによっても、容器の内容物全体にアクセスすることはできない。さらに従来技術の装置では、内容物を一方の容器から別の容器に移し替えるために、例えば容器のフランジを別の容器のフランジに取り付けることができない。したがって従来技術のロック装置は、その適用が制限されており、不満足なものである。
【０００８】
本発明の課題は、フランジ付き容器にあるストッパをロックするための装置の一実施形態を提案することにより、前記の不都合を改善することであり、必要な入力量を制限することによってその製造を簡素化し、その組み立ての容易性が、容器上でのストッパの簡単で、効率的で、迅速で、かつ不可逆的なロックを提供するようにし、一方、ロック解除に続いて容器のフランジを別の容器に取り付けることができるようにし、さらに、容器ネックの内部表面全体を介して容器の内側にアクセスできるようにすることである。
【課題を解決するための手段】
【０００９】
したがって本発明の対象は、フランジを有する容器上にストッパをロックするための装置である。この装置は、少なくとも１つの内部溝が設けられており、ストッパを覆うように形成されており、かつストッパへのアクセスを防止するためにフランジを取り囲むキャップと、前記キャップの内部に収容することができ、かつカラーを容器にロック係合させるためにフランジの下方に支持部を提供するよう構成された下方内部ラグ、およびカラーをキャップにロック係合させるために溝に係合することができる外部ラグが設けられたカラーとを有する。このような装置において、キャップは少なくとも１つの破壊可能ゾーンを有し、該破壊可能ゾーンは、キャップの開放および当該キャップのフランジからの抜去を許容するために破壊可能であり、前記カラーは、前記ストッパを取り囲むように構成された複数のほぞ（tenons）が伸張するバンドから形成されており、かつ少なくとも１つの変形可能かつ破壊可能なブリッジ部が設けられており、このブリッジ部は前記ほぞの反対側に配置されており、一方では前記カラーへの前記フランジの力による挿入を許容するために半径方向に弾性的に変形可能であり、他方では前記フランジからの前記カラーの抜去と、それに続く前記容器からの前記ストッパの除去を許容するために破壊可能であることを特徴する。
【発明を実施するための形態】
【００１０】
本発明の基礎とする概念は、フランジの全表面を解放し、もってフランジの接続を可能にするために、個別に開放することのできるキャップとカラーを使用することである。
本発明では、以下の形態が可能である。
（形態１）フランジを有する容器の上にストッパをロックするための装置であって、当該ロック装置は、少なくとも１つの内部溝が設けられており、前記ストッパを覆うように形成されており、かつ前記ストッパへのアクセスを不能にするように前記フランジを取り囲むキャップと、前記キャップの中に収容することができ、かつカラーを前記容器にロック係合させるために前記フランジの下方に支持部を提供するように構成された下方内部ラグ、および前記カラーを前記キャップにロック係合させるために前記溝に係合することができる外部ラグが設けられたカラーと、を有するロック装置であって、前記キャップは少なくとも１つの破壊可能ゾーンを有し、該破壊可能ゾーンは、前記キャップの開放および当該キャップの前記フランジからの抜去を許容するために破壊可能であり、前記カラーは、前記ストッパを取り囲むように構成された複数のほぞが伸張するバンドから形成されており、さらに少なくとも１つの変形可能かつ破壊可能なブリッジ部が設けられており、前記ブリッジ部は、前記ほぞの反対側に配置されており、一方では前記カラーへの前記フランジの力による挿入を許容するために半径方向に弾性的に変形可能であり、他方では前記フランジからの前記カラーの抜去と、それに続く前記容器からの前記ストッパの抜去を許容するために破壊可能である、ことを特徴とするロック装置が提供される。
（形態２）前記ほぞの自由端部は互いに独立していることが好ましい。
（形態３）各ほぞには少なくとも１つの内部ウェブが設けられており、該内部ウェブの直径は前記バンドの直径よりも小さく、前記内部ウェブは前記フランジに対して支持部を提供するように構成されていることが好ましい。
（形態４）前記カラーはさらに上方内部ラグを有し、該上方内部ラグは、前記ストッパに対して押圧するように構成されていることが好ましい。
（形態６）前記キャップは、スカートが軸方向に伸張するディスク部分を有し、前記破壊可能ゾーンは、厚さが前記キャップの他の部分に対して低減された二重溝によって画定されており、かつ前記スカートの少なくとも一部分に亘って延在する少なくとも１つの第１の脚部と、カバーの少なくとも一部分に亘って延在する少なくとも１つの第２の脚部とを有し、当該ロック装置は引き剥がし可能な口金部材を有し、該口金部材は、前記破壊可能ゾーンの少なくとも１つの接続ポイントに、前記破壊可能ゾーンの破壊を開始するために前記口金部材の抜去を許容するよう連結されていることが好ましい。
（形態６）前記キャップは、厚さが前記キャップの他の部分に対して低減されたヒンジゾーンを有し、該ヒンジゾーンは、前記破壊可能ゾーンの前記第１の脚部に対して直径方向に対向して配置されており、かつ前記破壊可能ゾーンの破壊に続いて前記キャップの半径方向の開放を許容するように配置されていることが好ましい。
（形態７）前記キャップ、カラーおよび口金部材の少なくとも１つは、成形プラスチック材料から作製されていることが好ましい。
（形態８）ストッパによって密閉されたフランジを有する容器であって、前記ストッパを前記フランジ上にロックするための装置が設けられている容器において、当該容器は、ロック装置を有し、これにより前記ストッパは、前記カラーと前記キャップとの間で軸方向にロックされる容器が提供される。
なお、特許請求の範囲に付記した図面参照番号はもっぱら理解を助けるためであり、図示の態様に限定することを意図するものではない。
【００１１】
したがって提案された本発明は、有利には以下の特別の特徴を有する：
・ほぞの自由端部は、互いに独立している；
・各ほぞには、少なくとも１つの内部ウェブが設けられており、この内部ウェブはフランジに対して支持部を提供するように構成されており、バンドの直径よりも小さな直径を有する；
・前記カラーはさらに上方内部ラグを有し、この上方内部ラグは、前記ストッパに対して押圧するように構成されている；
・前記キャップは、スカートが軸方向に伸張するディスク部分を有し、さらに二重溝によって画定された破壊可能ゾーンを有し、この二重溝の厚さはキャップの他の部分に対して低減されており、前記二重溝はスカートの少なくとも一部分に亘って延在する少なくとも１つの第１の脚部と、カバーの少なくとも一部分に亘って延在する少なくとも１つの第２の脚部とを有し、ロック装置はさらに引き剥がし可能な口金部材（capsule）を有し、この口金部材は、破壊可能ゾーンの破壊を開始するために口金部材を除去できるよう当該破壊可能ゾーンの少なくとも１つの接続ポイントに取り付けることができる；
・キャップはヒンジゾーンを有し、このヒンジゾーンの厚さはキャップの他の部分の厚さよりも小さく、このヒンジゾーンは、破壊可能ゾーンの第１の脚部に対し直径方向で対向して配置されており、破壊可能ゾーンの破壊に続くキャップの半径方向の開放を許容するように配置されている；
・キャップ、カラーおよび口金部材の少なくとも１つは、成形プラスチックから作製されている。
【００１２】
本発明はまた、フランジを有する容器に関するものであり、この容器はストッパによって密閉されており、フランジの上部にストッパをロックするために上記のような装置が設けられている。
【００１３】
本発明の利点および新規性をより明確に理解するために、純粋に非制限的な例としての一変形例の詳細な開示と添付図面を用いて本発明を説明する。
【図面の簡単な説明】
【００１４】
【図１】提案されたロック装置に含まれるエレメントの斜視図である。
【図２】提案されたロック装置に含まれるエレメントの斜視図である。
【図３】提案されたロック装置に含まれるエレメントの斜視図である。
【図４】フランジを有し、提案されたロック装置と適合された、ロック状態での容器の断面図である。
【図５】フランジ付き容器上にある提案されたロック装置の一部分に対する２つの組み立て段階を示す斜視図である。
【図６】フランジ付き容器上にある提案されたロック装置の一部分に対する２つの組み立て段階を示す斜視図である。
【図７】フランジ付き容器上にある提案されたロック装置のロック解除の５つの段階を示す斜視図である。
【図８】フランジ付き容器上にある提案されたロック装置のロック解除の５つの段階を示す斜視図である。
【図９】フランジ付き容器上にある提案されたロック装置のロック解除の５つの段階を示す斜視図である。
【図１０】フランジ付き容器上にある提案されたロック装置のロック解除の５つの段階を示す斜視図である。
【図１１】フランジ付き容器上にある提案されたロック装置のロック解除の５つの段階を示す斜視図である。
【実施例】
【００１５】
図面を参照すると、提案されたロック装置１は、容器１０１上に密閉ストッパをロックすることができるように組み立てられるよう構成されている。したがってこのロック装置は、容器の不透過性と容器１０１の内容物の完全性の両方を保証する。容器１０１はフランジ１０２付きのタイプであり、このようなフランジはネック１０３によって画定されている。このネックの断面は、容器１０１の他の部分の断面より細い。ストッパ１００はマッシュルームの形状をしており、ストッパのステム１０４はネック１０３の内側に適合し、ストッパのキャップ部１０５はフランジ１０２の上部に着座する。ストッパ１００は、最適の不透過性を保証するために、例えばエラストマーから作製されている。ロック装置１は、キャップ２、口金部材３およびカラー４を有する。
【００１６】
図２Ａと２Ｂを参照すると、プラスチック材料から作製されたキャップ２は、スカート２１が軸方向に伸張する部分を備えたディスク部分２０を有する。スカート２１の下方部分は、内部環状溝２２と凹部２３を有する。凹部は溝２２を横切っており、軸方向にスカート２１の高さ全体に亘り配置されており、スカート２１の壁の厚さを低減することによりヒンジゾーンＺ１を規定する。キャップ２の外面は二重溝２５，２６，２７を特徴とし、これらに沿ってキャップ２の壁の厚さが低減されている。二重溝２５，２６，２７は第１の脚部３５を有し、第１の脚部の二重溝２５は互いに平行に延在し、軸方向にスカート２１の高さに亘って伸張している。本実施例では、第１の脚部３５がスカート２１の自由端部から間隔を置いて配置されているが、スカート２１の自由端部への接線に配置しても良い。第１の脚部３５は第２の脚部３６をもって伸張している。第２の脚部の二重溝２６は互いに平行にディスク部分２０上に延在し、スカート２１に対して半径方向にディスク部分２０の中心に向かうよう配向されている。第２の脚部３６はその終端部において、円形セクション２７によって互いに接続されている。したがって二重溝２５，２６，２７は破壊可能ゾーンＺ２を画定し、この破壊可能ゾーンはキャップ２を分割するために破壊することができ、これによりキャップを開放し、容器１０１のフランジ１０２から除去することができる。キャップ２の開放を促進するために、破壊可能ゾーンＺ２の第１の脚部３５は、ヒンジゾーンＺ１に対して直径方向に対向して配置されている。ディスク部分２０の中心をオリフィス２８が横断しており、したがってこのオリフィスは破壊可能ゾーンＺ２も横断している。ディスク部分２０は、図１に示された引き剥がし可能な口金部材３によって覆われるように構成されており、口金部材の中心は連行部材（つかみ係合部材ないしキャッチ部材）３０を特徴とする。連行部材３０は図２Ｂ（スナップ嵌め込み前）と図４（スナップ嵌め込み後）に示されており、キャップ２のオリフィス２８を横断するように構成されている。口金部材はキャップに、図４に示すよう嵌め込むことにより取り付けることができる。したがって連行部材３０とオリフィス２８は、口金部材３とキャップ２との間、より詳細には口金部材３と破壊可能ゾーンＺ２との間の接続ポイント（拘束ポイント）を形成する。口金部材３は、キャップ２の材料よりもさらにフレキシブルなプラスチック材料から作製されており、容易に変形可能である。したがって口金部材３の１つのエッジを持ち上げ、引っ張ることができ、このエッジはさらに破壊可能ゾーンＺ２を持ち上げる。したがってキャップ２は、これがストッパ１００の上部に配置されるときにストッパを覆い、容器１０１のフランジを取り囲むように形成されており、この配置（状態）はストッパ１００をアクセス不能にする。
【００１７】
図３を参照すると、プラスチック材料から作製されたカラー４は、実質的に円筒状バンド４０から形成されており、このバンド（帯状部材）はほぞ（突状片）４１によって伸張している。カラー４はキャップ２の内部に収容され、容器１０１のフランジ１０２を取り囲むように構成されている。その内部壁上でバンド４０は３つの下方内部ラグ（タブ状突片）４２を特徴とする。これらの下方内部ラグは、３つの上方内部ラグ４３と同様に軸方向平面（軸に直交する一平面）に整列されており、前記３つの上方内部ラグは（下方内部ラグの）前記軸方向平面から間隔を置いた軸方向平面に整列されている。下方内部ラグ４２と上方内部ラグ４３の両方は互い違いにずらされており、互いに規則的な間隔を置いている。上方内部ラグ４３と下方内部ラグ４２の両方は、フレキシブルなタブから形成されており、これらのタブは傾斜しており、ほぞ４１に向いて配向されている。バンド４０の外部壁には規則的に間隔を置いた５つの外部ラグ４４が設けられており、これらは前記（上方および下方内部）ラグの軸方向平面（複数）から間隔を置いた一軸方向平面に整列されている。本実施例で外部ラグ４４は、軸方向で下方内部ラグ４２と上方内部ラグ４３との間に配置されている。バンド４０は、ほぞ４１の反対側に配置されたブリッジ部４５を有し、このブリッジ部の高さ（軸方向寸法）はバンド４０の他の部分に対して低減されている。ブリッジ部４５は弾性的に変形可能であり、したがってバンド４０の僅かな半径方向の弾性変形が可能であり、バンド４０の壁をブリッジ部４５の両側で押圧し、傾斜させることもできる。さらにブリッジ部４５は、破壊後にカラー４を容器１０１のフランジ１０２から除去するために破壊することができる。ほぞ（複数）４１はバンド４０から軸方向に伸張している。本実施例では５つのほぞ４１があり、ブリッジ部４５のゾーン内を除いて、これらはバンド４０の周囲で規則的に互いに離間している。各ほぞ４１は、上方内部ラグ４３と下方内部ラグ４２との間に配置されている。各ほぞ４１の自由端部は、互いに独立して配置されている。各ほぞ４１は、軸方向に関してバンド４０の内側に向かって（半径方向内方に）オフセットされており、これにより内部ウェブ（段違い肩部）４６を形成する。内部ウェブはフランジ１０２に対する支持部を提供するように構成されている。
【００１８】
キャップ２、カラー４および口金部材３は、例えば射出成形機を用いた成形によって製造することができる。
【００１９】
ロック装置１の組み立てと、容器１０１のフランジへのその取り付けは、以下のように実行される。最初に連行部材３０とオリフィス２８を用いて、口金部材３がキャップ２の上に上記のように嵌め込まれる。次にカラー４とそのほぞ４１が、キャップ２のスカート２１の内側を向くように配置され、これ続いてカラー４がキャップ２に挿入される。したがってカラー４はキャップ２の内部にロックされる。その次にフランジ１０２を有する容器１０１が使用され、カラー４を有するキャップ２に挿入されたストッパ１００によって密閉される。この挿入ステップの間に、ブリッジ部４５によりキャップ２の内側でのカラー４の弾性変形が可能になり、これによってストッパ１００とフランジ１０２はカラー４の内部を通過することができる。これは図５により示されており、ここではカラー４と容器１０１だけが図示されている。フランジ１０２を力で挿入（圧入）した後、カラー４は図６に示すように元の形状に戻る。この配置ではフランジ１０２が収容され、下方内部ラグ４２と上方内部ラグ４３との間にロックされている。容器１０１の不透過性を保証し、かつ上方内部ラグ４３から支持を受けるストッパ１００が、ほぞ（複数）４１の間に締め付けられる。したがってストッパ１００は容器１０１の上にロック装置１によってロックされる。このロック装置は前記ストッパ１００を完全に包み込み、したがってこれをアクセス不能にする。
【００２０】
図７から１１を参照すると、これに続いてロック装置１を除去するためのステップが示されている。最初にユーザは、口金部材３の１つのエッジを掴み、これを持ち上げ、引張力をこれに及ぼす。このような引張力は、口金部材３からオリフィス２８に嵌め込まれた連行部材３０を介して破壊可能ゾーンＺ２に伝達される。これにより、破壊可能ゾーンＺ２の破壊を引き起こすのに十分な引張力が展開される。図７に示すように、このアクションによりキャップ２が裂けて開放する。次に図８を参照すると、キャップ２は、ヒンジゾーンＺ１のいずれかの側でキャップの（両方の）部分を引き離す力を及ぼすことにより開放される。キャップ２は容器から除去される。図９では容器がカラー４だけを伴って図示されている。そしてその次に、図１０を参照すると、ブリッジ部４５が破壊され、図１１を参照すると、キャップ２の両側が押し分けられてキャップ２が開放される。こうしてストッパ１００は容器１０１から除去される。
【００２１】
本発明により、前記の目的を達成することができる。キャップ２とカラー４の除去に続いて完全に解放されたフランジ１０２は、今や、容器１０１の内容物を移し替えるために、および／または製品を容器１０１内に導入するために、いずれかの接続手段によって接続することができる。
【００２２】
本発明が、本発明の実施形態の１つの前記記述に限定されるものではないことは、疑いもなく理解され、実施形態は本発明の枠を逸脱することなく変更することができる。
【符号の説明】
【００２３】
１  ロック装置
２  キャップ
３  口金部材（皿状口金部材、capsule）
４  カラー
２０  ディスク部分
２１  スカート
２２  溝
２３  凹部
２５，２６，２７  二重溝
３５  第１の脚部
３６  第２の脚部
２７  円形セクション
２８  オリフィス（孔）
３０  連行部材（つかみ係合部材ないしキャッチ部材）
２８，３０  接続ポイント
Ｚ１  ヒンジゾーン
Ｚ２  破壊可能ゾーン
４０  バンド
４１  ほぞ（突状片）
４２  下方内部ラグ（タブ状突片）
４３  上方内部ラグ（タブ状突片）
４４  外部ラグ
４５  ブリッジ部
４６  内部ウェブ（段違い肩部）
１００  ストッパ
１０１  容器
１０２  フランジ
１０３  内側ネック
１０４  ステム
１０５  キャップ部
【図１】
0005932061.tif 000002
【図２Ａ】
0005932061.tif 000003
【図２Ｂ】
0005932061.tif 000004
【図３】
0005932061.tif 000005
【図４】
0005932061.tif 000006
【図５】
0005932061.tif 000007
【図６】
0005932061.tif 000008
【図７】
0005932061.tif 000009
【図８】
0005932061.tif 000010
【図９】
0005932061.tif 000011
【図１０】
0005932061.tif 000012
【図１１】
0005932061.tif 000013